(57)【要約】【課題】  静止画の動画像への変換と静止画撮影を繰り返し行った場合にも、変換された動画像データでの内容の重複を防止する。【解決手段】  記録媒体に記録された複数の静止画像データを再生する再生手段と、前記再生手段により再生された静止画像データを動画像データに変換し、静止画ムービデータとして出力する変換手段と、前記変換手段より出力された前記静止画ムービデータを前記記録媒体に記録する記録手段と、前記記録媒体に記録されている静止画像データのうち、前記変換手段により前記静止画ムービデータに変換されていないものを選択し、前記選択した静止画像データを前記静止画ムービデータに変換するよう前記変換手段を制御する制御手段とを備える。【選択図】  図３
2007151023.tif 000002
【特許請求の範囲】
【請求項１】
記録媒体に記録された複数の静止画像データを再生する再生手段と、
前記再生手段により再生された静止画像データを動画像データに変換し、静止画ムービデータとして出力する変換手段と、
前記変換手段より出力された前記静止画ムービデータを前記記録媒体に記録する記録手段と、
前記記録媒体に記録されている静止画像データのうち、前記変換手段により前記静止画ムービデータに変換されていないものを選択し、前記選択した静止画像データを前記静止画ムービデータに変換するよう前記変換手段を制御する制御手段とを備える記録再生装置。
【請求項２】
前記記録手段は更に、前記静止画ムービデータに変換された前記静止画像データに対し変換済みを示す識別情報を記録し、前記制御手段は前記識別情報に基づいて前記変換手段により前記静止画ムービデータに変換されていないものを選択することを特徴とする請求項１記載の記録再生装置。
【請求項３】
前記記録手段は更に、前記静止画ムービデータの記録日時を示す情報を前記記録媒体に記録し、前記制御手段は、前記記録媒体に記録された静止画像データの記録日時の情報と前記静止画ムービデータの記録日時の情報との比較結果に基づいて前記変換手段により前記静止画ムービデータに変換されていないものを選択することを特徴とする請求項１記載の記録再生装置。
【請求項４】
前記制御手段は、前記静止画像データのうち、前記静止画ムービデータの記録日時よりも記録日時が遅いものを選択することを特徴とする請求項３記載の記録再生装置。
【請求項５】
動画像データを入力する入力手段を備え、前記記録手段は更に、前記記録媒体に対して前記入力手段により入力された動画像データを記録すると共に、前記静止画ムービデータを前記動画像データと同様の記録形式にて記録することを特徴とする請求項１記載の記録再生装置。
【請求項６】
前記記録手段は、前記選択した静止画像データを変換した静止画ムービデータと、既に前記記録媒体に記録されていた静止画ムービデータとを独立の検索単位として管理するための管理情報を前記記録媒体に記録することを特徴とする請求項１記載の記録再生装置。
【請求項７】
任意のタイミングで前記静止画ムービデータの作成を指示する指示手段を備え、前記変換手段は前記指示手段による静止画ムービデータの作成指示に応じて前記静止画ムービデータを作成することを特徴とする請求項１記載の記録再生装置。
【請求項８】
記録媒体に記録された複数の静止画像データを再生する再生手段と、
指示手段による指示に応じて、前記再生手段により再生された静止画像データを動画像データに変換し、新たに静止画ムービデータとして出力する変換手段と、
前記変換手段より出力された前記静止画ムービデータを前記記録媒体に記録する記録手段と、
前記指示手段による指示に応じて、前記記録媒体に既に記録されている前記静止画ムービデータを削除する削除手段とを備える記録再生装置。
【請求項９】
前記指示手段による指示に応じて、前記記録媒体に既に記録されている前記静止画ムービデータを削除するか否かを問い合わせる問い合わせ手段を備え、前記削除手段は、前記問い合わせの結果削除が指示された場合に前記記録媒体に既に記録されている前記静止画ムービデータを削除し、削除が指示されなかった場合には前記記録媒体に既に記録されている前記静止画ムービデータを削除することなく、前記新たに生成された静止画ムービデータを記録するよう前記記録手段を制御することを特徴とする請求項８記載の記録再生装置。
【請求項１０】
記録媒体に記録された複数の静止画像データを再生する再生手段と、
前記再生手段により再生された静止画像データを動画像データに変換し、静止画ムービデータとして出力する変換手段と、
前記変換手段より出力された前記静止画ムービデータを前記記録媒体に記録する記録手段と、
前記記録媒体に既に前記静止画ムービデータが記録されていた場合、前記既に記録されている静止画ムービデータと重複する画像が含まれないよう、前記静止画ムービデータを生成するべく前記変換手段を制御する制御手段とを備える記録再生装置。
【発明の詳細な説明】
【技術分野】
【０００１】
本発明は記録装置に関し、特に、動画像と静止画像とを記録媒体に記録可能な装置に関する。
【背景技術】
【０００２】
従来、動画像や静止画像を撮影し、磁気テープやメモリカードなどに記録再生するビデオカメラが知られている。
また、近年では、ＤＶＤなどのディスク媒体を用いるディスクビデオカメラも登場している。
【０００３】
この様に、ＤＶＤを用いるディスクビデオカメラにおいても、動画像に加え、静止画像も一つのディスク上に混在して記録することが考えられる。ＤＶＤに対して動画像データを記録する際のフォーマットとして、ＤＶＤビデオフォーマットやＤＶＤビデオレコーディング（ＶＲ）フォーマットという規格が規定されている。この様なフォーマットで動画像データを記録することで、ビデオカメラで撮影した動画像を、規格に対応した他のディスクプレーヤで再生することができる。
【０００４】
一方、静止画像データについてはこの様なＤＶＤビデオフォーマットやＶＲフォーマットという規格がない。ＤＶＤのファイルシステムは一般のＰＣなどにおけるＵＤＦであるため、撮影した静止画像データをＪＰＥＧ方式で符号化し、ＵＤＦの規格に従いＪＰＥＧファイルとして記録する形態が一般的である。
【０００５】
しかしながら、この様に記録したＪＰＥＧファイルは、動画データの規格とは異なっているため、一般のＤＶＤプレーヤでは再生することができない。
【０００６】
そこで、ＪＰＥＧファイル形式で記録された静止画データをＭＰＥＧ方式のＩピクチャに変換し、スライドショーを示す動画像データとしてＤＶＤビデオフォーマットやＶＲフォーマットで記録することが考えられている。（例えば、特許文献１参照）
【特許文献１】特開２００４−２０１１７０
【発明の開示】
【発明が解決しようとする課題】
【０００７】
特許文献１では、使用者からの指示に応じたタイミングで、全ての静止画像データを読み出し、動画像フォーマットのデータに変換して追加記録している。
【０００８】
そのため、一度静止画データの変換指示を行って動画フォーマットに変換、記録した後、更に静止画撮影を行った場合、この追加撮影された静止画データは、先に変換された動画フォーマットのデータに含まれていないことになる。
【０００９】
そこで、静止画像を追加撮影した後、再び変換指示を行うと、今度は、前回変換済みの静止画像まで重複して動画フォーマットのデータに変換されてしまうことになる。
【００１０】
この様に、動画フォーマットへの変換指示と静止画撮影とを繰り返した場合、ディスク上には、一部の内容が重複している動画フォーマットに変換された静止画データ（以下静止画ムービ）が多数記録されることになる。
【００１１】
従って、再生時には、ユーザはこれら多数の静止画ムービの中から所望のものを探さなくてはならなかった。
【００１２】
また、これら多数の静止画ムービは、互いに一部の内容が重複しており、その分ディスクの記録容量を無駄に使用していた。
【００１３】
本発明はこの様な問題を解決し、静止画の動画像への変換と静止画撮影を繰り返し行った場合にも、変換された動画像データでの内容の重複を防止することが可能な装置を提供することを目的とする。
【００１４】
また、本発明の他の目的は、静止画ムービの内容が重複する場合には、ユーザがこれを容易に認識することができる装置を提供することである。
【課題を解決するための手段】
【００１５】
記録媒体に記録された複数の静止画像データを再生する再生手段と、前記再生手段により再生された静止画像データを動画像データに変換し、静止画ムービデータとして出力する変換手段と、前記変換手段より出力された前記静止画ムービデータを前記記録媒体に記録する記録手段と、前記記録媒体に記録されている静止画像データのうち、前記変換手段により前記静止画ムービデータに変換されていないものを選択し、前記選択した静止画像データを前記静止画ムービデータに変換するよう前記変換手段を制御する制御手段とを備える。
【発明の効果】
【００１６】
本発明によれば、変換された動画像データの間で内容が重複することが無いので、所望の静止画ムービを容易に再生でき、且つ、記録容量を無駄に使用することを防ぐことができる。
【発明を実施するための最良の形態】
【００１７】
図１は、本発明の実施形態であるディスクビデオカメラ１００の構成を示す図である。
図１において、１０１は撮像部であり、システム制御部１０８の指示により、動画像或いは静止画像データを出力する。１０２はマイクであり、被写体に関連した音声信号を出力する。１０３は入出力部であり、外部機器との間で画像データや音声データを入出力する。１０４は表示制御部であり、ディスプレイ１０５の表示動作を制御する。１０６は液晶パネルなどのディスプレイである。１０６は撮像部１０１からの動画像データをＭＰＥＧ２方式に従って符号化すると共に再生されたＭＰＥＧデータを復号するＭＰＥＧ処理部である。ＭＰＥＧ処理部１０６はまた、後述の様に、再生された静止画データをＭＰＥＧ方式に変換して静止画ムービを生成する。１０７はＪＰＥＧ処理部であり、撮像部１０１から出力された静止画データをＪＰＥＧ方式に従って符号化すると共に、再生された静止画データを復号して出力する。
【００１８】
１０８はシステム制御部であり、ビデオカメラ１００の各部の動作を制御する。１０９は操作部であり、電源スイッチやメニュースイッチ、記録トリガスイッチ、静止画ムービの変換指示スイッチなどの各種のスイッチを有する。１１０は形式変換部であり、記録時においては、ＭＰＥＧ符号化された動画像データに対して各種のデータを付加し、をディスクＤの記録フォーマットに従って変換する。また、再生時においては、再生データよりＭＰＥＧデータを検出してＭＰＥＧ処理部１０６に出力すると共に、各付加データをシステム制御部に送る。１１１はディスクインターフェイスであり、ディスクＤに対してデータを記録再生する。１１２はバスであり、各部の間でデータを送受信するために用いられる。
【００１９】
本実施形態のビデオカメラでは、ディスクＤとしてＤＶＤを用いる。また、動画データをディスクＤに記録する場合には、前述のＤＶＤビデオフォーマット、或いは、ＤＶＤ−ＶＲフォーマットの何れかを選択することができるものとする。
【００２０】
次に、ビデオカメラ１００における撮影時の処理について説明する。
まず、動画撮影時について説明する。
【００２１】
ユーザが電源を投入すると、撮像部１０１より得られた動画データが表示制御部１０４に送られ、ディスプレイ１０５にはこの動画像が表示される。この状態で、ユーザが操作部１０９の動画記録のためのトリガスイッチを操作すると、撮像部１０１からの動画データとマイク１０２からの音声データがＭＰＥＧ処理部１０６に送られる。ＭＰＥＧ処理部１０６はこれらの動画データと音声データをＭＰＥＧ２方式に従って符号化し、ＭＰＥＧストリームを生成する。そして、このＭＰＥＧストリームを形式変換部１１０に送る。
【００２２】
形式変換部１１０はＭＰＥＧストリームに対し、記録フォーマットで規定された各種のデータを付加してその形式を変換し、ディスクＩ／Ｆ１１１に送る。ディスクＩ／Ｆ１１１は形式変換部１１０より送られたデータをディスクＤに対して記録する。その後、動画記録停止の指示があると、ディスクＤに対するデータの記録を停止する。本実施形態では、記録開始から記録停止までの間に記録された一連のＭＰＥＧストリームを一つのチャプタとして記録している。再生時には、このチャプタを単位としてデータの頭出し、或いは検索が可能である。また、ＤＶＤビデオフォーマットでは、複数のチャプタをまとめて一つのタイトルを作成している。
【００２３】
次に、静止画撮影時について説明する。
前述のように、ディスプレイ１０５に撮像部１０１からの動画像が表示されている状態で、ユーザが操作部１０９の静止画撮影スイッチを操作すると、撮像部１０１は動画データ中の一画面を抽出し、ＪＰＥＧ処理部１０７に送る。
【００２４】
なお、本実施形態では、静止画データの一画面当たりの画素数が動画データの画素数よりも多い。
【００２５】
ＪＰＥＧ処理部１０７は、撮像部１０１から送られた一画面の静止画像データをＪＰＥＧ方式に従って符号化し、ＪＰＥＧファイルとしてディスクＩ／Ｆ１１１に送る。ディスクＩ／Ｆ１１１は、このＪＰＥＧファイルを、ＤＣＦ（Ｄｅｓｉｇｎ  ｒｕｌｅ  ｆｏｒ  Ｃａｍｅｒａ  Ｆｉｌｅ  Ｓｙｓｔｅｍ）の規格に従い、ディスクＤに記録する。
【００２６】
次に、再生時の処理について説明する。
【００２７】
ユーザが操作部１０９を操作してサムネイル一覧表示を指示すると、システム制御部１０８はディスクＩ／Ｆ１１１を制御し、ディスクＤに記録されている動画データ、或いは静止画データのサムネイル（代表）画像データを再生する。システム制御部１０８はまた、表示制御部１０４に対し、再生されたサムネイル画像データを用いて一覧表示用の画面を生成するよう指示する。表示制御部１０４はサムネイル一覧画面を生成し、ディスプレイ１０５に表示する。
【００２８】
このとき、ユーザは、動画サムネイル一覧、或いは、静止画サムネイル一覧の何れかを選択して表示させることができる。
【００２９】
ユーザは、この様にディスプレイ１０５に表示されたサムネイル一覧画面を確認し、操作部１０９を操作することにより所望の画像データを選択して再生を指示する。
【００３０】
システム制御部１０８は、ディスクＩ／Ｆ１１１に対し、選択された動画データ、或いは静止画データを再生する様指示する。ディスクＩ／Ｆ１１１は、ディスクＤより指定されたデータを再生し、ＭＰＥＧ処理部１０６或いはＪＰＥＧ処理部１０７に出力する。
【００３１】
ＭＰＥＧ処理部１０６は再生されたＭＰＥＧデータを復号して表示制御部１０４に出力する。また、ＪＰＥＧ処理部１０７は再生された静止画データを復号して表示制御部１０４に出力する。
【００３２】
表示制御部１０４は、再生された動画データ或いは静止画データに係る画像をディスプレイ１０５に表示する。
【００３３】
次に、静止画ムービの生成処理について説明する。
図２の２０１から２０５はそれぞれ、ディスクＤ上に記録されている静止画データ（静止画ファイル）である。ユーザが任意のタイミングで操作部１０９を操作して、静止画ムービの作成を指示すると、これら静止画２０１から２０５をそれぞれ３秒間づつ表示する動画データ１０６を生成してディスクＤに記録する。
【００３４】
以下、図３のフローチャートを用いて静止画ムービの生成処理を説明する。
【００３５】
静止画ムービの作成指示があると、システム制御部１０８は、ディスクＤに記録されている全ての静止画ファイルを検出し、その合計枚数Ｎを取得する（Ｓ３０１）。そして、変数ｎに１を設定する（Ｓ３０２）。
【００３６】
次に、検出したＮ枚の静止画ファイルのうち、ｎ番目の静止画ファイルに後述の変換フラグが付加されているか否かを検出し、ｎ番目の静止画ファイルが静止画ムービに変換処理されているか否かを判別する（Ｓ３０３）。変換済みの場合にはＳ３０８に進む。
【００３７】
一方、変換されていない場合には、このｎ番目の静止画ファイルをディスクＤから再生し（Ｓ３０４）、ＪＰＥＧ処理部１０７で復号した後、ＭＰＥＧ処理部１０６にてこの静止画データを３秒間のＭＰＥＧデータに変換する（Ｓ３０５）。そして、生成したＭＰＥＧデータをディスクＤに記録する（Ｓ３０６）。ＭＰＥＧデータをディスクＤに記録した後、ディスクＤに記録されている元のｎ番目の静止画ファイルに対し、静止画ムービに変換済みであることを示す変換フラグを付加する（Ｓ３０７）。
【００３８】
そして、静止画ファイルの枚数ｎが総数Ｎと等しいか否かを判別し、ｎがＮに満たない場合には、次の静止画ファイルを処理すべく、ｎに１を加算してＳ３０３に戻る（Ｓ３１０）。
【００３９】
また、Ｎ枚全ての静止画ファイルを処理した場合、今回の処理で生成した静止画ムービを一つのチャプタとして管理すべく、管理情報を更新する。このとき、今回作成した静止画ムービのサムネイル画像として、先頭の画面を指定する（Ｓ３０９）。
【００４０】
この様に生成された静止画ムービは、一般的なＤＶＤプレーヤにて再生可能である。
図２の様に、５枚の静止画ファイルを静止画ムービに変換した後、更に、静止画撮影を行った状態を図４に示す。
【００４１】
図４において、４０１から４０３は、２０１から２０５を静止画ムービに変換した後、新たに撮影した静止画ファイルを示している。
【００４２】
このような状態で再び静止画ムービ作成の指示があると、図３のＳ３０１において、静止画ファイルの総数８が検出される。そして、Ｓ３０３〜Ｓ３０７の処理により静止画ムービが作成される。ここでは、既に２０１〜２０５については変換済みのため、変換済みフラグが付加されている。そのため、新たに撮影された４０１から４０３の３枚の静止画ファイルのみが静止画ムービに変換される。
【００４３】
この様子を図５に示す。
図５の４０４が新たに生成された静止画ムービであり、先に生成された静止画ムービ２０６とは重複する画面がない。
【００４４】
また、Ｓ３０９にて、管理情報を更新することで、先に作成した静止画ムービ２０６と今回作成した静止画ムービ４０４を別のチャプタとして管理する。
【００４５】
この様に、本実施形態においては、作成済みの静止画ファイルについてはフラグを付加しておき、この作成済みフラグが付加されている静止画ファイルについては静止画ムービへの変換を行わない。
【００４６】
そのため、一度静止画ムービに変換済みの静止画ファイルについては、重複して静止画ムービを作成してしまうことを防ぐことができ、ディスクの記録容量を無駄に使用してしまうことがない。
【００４７】
次に、第２の実施形態を説明する。本実施形態においても、図１のビデオカメラを用いる。図６のフローチャートを用いて本実施形態の静止画ムービの作成処理を説明する。
【００４８】
静止画ムービの作成指示があると、システム制御部１０８は、ディスクＤに記録されている全ての静止画ファイルを検出し、その合計枚数Ｎを取得する（Ｓ６０１）。そして、変数ｎに１を設定する（Ｓ６０２）。
【００４９】
次に、ディスクＤに対し、既に記録されている静止画ムービがあるか否かを判別する（Ｓ６０３）。静止画ムービが一つも記録されていない場合にはＳ６０７に進む。
【００５０】
一方、静止画ムービが既に記録されていた場合には、管理情報に基づいて、ディスクＤに記録されている全ての静止画ムービの作成日時Ｔを検出する（Ｓ６０４）。また、ｎ番目の静止画ファイルの作成日時ｔを検出する（Ｓ６０５）。そして、ｎ番目の静止画ファイルの作成日時ｔが全ての静止画ムービの作成日時Ｔよりも大きいか否か判別する（Ｓ６０６）。
【００５１】
静止画ファイルの作成日時ｔの方が小さい場合には、ｎ番目の静止画ファイルは既に静止画ムービに変換済みであるため、次の静止画ファイルを処理するべく、ｎに１を加え（Ｓ６１２）、Ｓ６０３に戻る。
【００５２】
一方、Ｓ６０３で静止画ムービが記録されていない場合、及び、Ｓ６０６で静止画ファイルの作成日時の方が大きい（遅い）場合、ｎ番目の静止画ファイルをディスクＤから再生する（Ｓ６０７）。そして、ＪＰＥＧ処理部１０７で復号し、ＭＰＥＧ処理部１０６にてこの静止画データを３秒間のＭＰＥＧデータに変換する（Ｓ６０８）。生成したＭＰＥＧデータをディスクＤに記録する（Ｓ６０９）。
【００５３】
そして、静止画ファイルの枚数ｎが総数Ｎと等しいか否かを判別し（Ｓ６１０）、ｎがＮに満たない場合には、次の静止画ファイルを処理すべく、ｎに１を加算してＳ６０３に戻る。
【００５４】
また、Ｎ枚全ての静止画ファイルを処理した場合、今回の処理で生成した静止画ムービを一つのチャプタとして管理すべく、管理情報を更新する。このとき、今回作成した静止画ムービのサムネイル画像として、先頭の画面を指定する（Ｓ６１１）。
【００５５】
この様に生成された静止画ムービは、一般的なＤＶＤプレーヤにて再生可能である。
【００５６】
図２の様に、静止画ムービが記録されていない状態で静止画ムービ作成指示があった場合には、５枚の静止画ファイルが全て静止画ムービに変換され、記録される。
【００５７】
この様に、５枚の静止画ファイルを静止画ムービに変換した後、更に、静止画撮影を行った状態を図４に示す。
【００５８】
前述のように、図４において、４０１から４０３は、２０１から２０５を静止画ムービに変換した後、新たに撮影した静止画ファイルを示している。
【００５９】
このような状態で再び静止画ムービ作成の指示があると、図６のＳ６０１において、静止画ファイルの総数８が検出される。そして、Ｓ６０３〜Ｓ６１０の処理により静止画ムービが作成される。ここでは、既に２０１〜２０５については変換済みのため、静止画ムービ２０６の作成日時と各静止画ファイル２０１〜２０５、４０１〜４０３の作成日時が比較される。
【００６０】
その結果、静止画ムービ２０６の作成後に記録された４０１から４０３の３枚の静止画ファイルのみが静止画ムービに変換される。
【００６１】
この様子を図５に示す。
図５の４０４が新たに生成された静止画ムービであり、先に生成された静止画ムービ２０６とは重複する画面がない。
【００６２】
また、Ｓ６１１にて、管理情報を更新することで、先に作成した静止画ムービ２０６と今回作成した静止画ムービ４０４を別のチャプタとして管理する。
【００６３】
次に、第３の実施形態を説明する。本実施形態においても、図１のビデオカメラを用いる。図７のフローチャートを用いて本実施形態の静止画ムービの作成処理を説明する。
【００６４】
静止画ムービの作成指示があると、システム制御部１０８は、ディスクＤに記録されている全ての静止画ファイルを検出し、その合計枚数Ｎを取得する（Ｓ７０１）。そして、変数ｎに１を設定する（Ｓ７０２）。
【００６５】
次に、ディスクＤに対し、既に静止画ムービが記録されているか否かを判別する（Ｓ７０３）。静止画ムービが記録されていない場合にはＳ７０７に進む。
【００６６】
一方、静止画ムービが既に記録されていた場合には、表示制御部１０４により、図９に示す削除確認画面９０１を表示する（Ｓ７０４）。ユーザは、この削除確認画面９０１を確認し、操作部１０９を操作することによりはいボタン９０１ａまたはいいえボタン９０１ｂを選択する（Ｓ７０５）。ここで、いいえボタン９０１ｂが選択された場合にはＳ７０７に進む。また、はいボタン９０１ａが選択され、削除の指示があったときには、ディスクに記録されている静止画ムービを削除する（Ｓ７０６）。
【００６７】
そして、ｎ番目の静止画ファイルをディスクＤから再生する（Ｓ７０７）。そして、ＪＰＥＧ処理部１０７で復号し、ＭＰＥＧ処理部１０６にてこの静止画データを３秒間のＭＰＥＧデータに変換する（Ｓ７０８）。生成したＭＰＥＧデータをディスクＤに記録する（Ｓ７０９）。
【００６８】
そして、静止画ファイルの枚数ｎが総数Ｎと等しいか否かを判別し（Ｓ７１０）、ｎがＮに満たない場合には、次の静止画ファイルを処理すべく、ｎに１を加算してＳ７０７に戻る。
【００６９】
また、Ｎ枚全ての静止画ファイルを処理した場合、今回の処理で生成した静止画ムービを一つのチャプタとして管理すべく、管理情報を更新する。このとき、今回作成した静止画ムービのサムネイル画像として、先頭の画面を指定する（Ｓ７１１）。
【００７０】
この様に生成された静止画ムービは、一般的なＤＶＤプレーヤにて再生可能である。
【００７１】
図２の様に、静止画ムービが記録されていない状態で静止画ムービ作成指示があった場合には、５枚の静止画ファイルが全て静止画ムービに変換され、記録される。
【００７２】
この様に、５枚の静止画ファイルを静止画ムービに変換した後、更に、静止画撮影を行った状態を図８に示す。
【００７３】
図８において、８０１から８０３は、２０１から２０５を静止画ムービに変換した後、新たに撮影した静止画ファイルを示している。
【００７４】
このような状態で再び静止画ムービ作成の指示があると、図７のＳ７０３において、静止画ムービ２０６が検出され、Ｓ７０４にて削除確認画面９０１が表示される。ここで、ユーザが削除を指示すると、既に記録されている静止画ムービ２０６が削除され、静止画ファイル２０１〜２０５、及び、８０１〜８０３より生成した静止画ムービ８０４が記録される。
【００７５】
また、Ｓ７０４にて削除の指示がない場合には、静止画ムービ２０６に加え、静止画ムービ８０４が記録される。この場合、Ｓ７１１にて、管理情報を更新することで、先に作成した静止画ムービ２０６と今回作成した静止画ムービ８０４を別のチャプタとして管理する。
【００７６】
この様に、本実施形態では、静止画ムービ作成の際に、既に静止画ムービ作成済みであり、削除するか否かをユーザに問い合わせている。そのため、ユーザは、重複する静止画ムービを作成することを認識しながら静止画ムービを作成することができる。
【図面の簡単な説明】
【００７７】
【図１】本発明の実施形態におけるビデオカメラの構成を示す図である。
【図２】静止画ファイルから静止画ムービを生成する様子を示す図である。
【図３】静止画ムービの作成処理を示すフローチャートである。
【図４】静止画ファイルから静止画ムービを生成する様子を示す図である。
【図５】静止画ファイルから静止画ムービを生成する様子を示す図である。
【図６】静止画ムービの作成処理を示すフローチャートである。
【図７】静止画ムービの作成処理を示すフローチャートである。
【図８】静止画ファイルから静止画ムービを生成する様子を示す図である。
【図９】静止画ムービの削除選択の画面を示す図である。
【図１】
2007151023.tif 000003
【図２】
2007151023.tif 000004
【図３】
2007151023.tif 000005
【図４】
2007151023.tif 000006
【図５】
2007151023.tif 000007
【図６】
2007151023.tif 000008
【図７】
2007151023.tif 000009
【図８】
2007151023.tif 000010
【図９】
2007151023.tif 000011